(57)【要約】【課題】  第１のユニットと第２のユニットのうち、少なくとも一方への進入口においてフレキシブルケーブルを固定した場合であっても、開閉の繰り返しによるフレキシブルケーブルの断線が生じにくい折り畳み型装置を提供する。【解決手段】  ヒンジ部の内壁面は、その断面が柱体状の空間の側面の一部を形成する。第１のユニットと第２のユニットとをヒンジ部にて開いた状態で連結したとき、フレキシブルケーブルは、ヒンジ部の内壁面に沿った環を形成する。【選択図】  図１１
2019087266.tif 000002
【特許請求の範囲】
【請求項１】
第１のユニット、第２のユニット、ヒンジ部、フレキシブルケーブルを備え、
前記ヒンジ部は前記第１のユニットと前記第２のユニットとを回動可能に連結し、前記フレキシブルケーブルは前記第１のユニットと前記第２のユニットとを電気的に接続し、
前記ヒンジ部の内壁面の少なくとも一部は、その断面が柱体状の空間の側面の一部を形成し、
弾性材料からなる圧入部を備え、前記第１のユニット及び前記第２のユニットの少なくとも一方は、前記柱体状の空間の内外を繋ぐ開口に、前記フレキシブルケーブルと共に前記圧入部を圧入するための空間を有する
折り畳み型装置。
【請求項２】
前記圧入部は、圧入に応じて変形する凸状の変形部を、該圧入部の側面に沿って備える、請求項１に記載の折り畳み型装置。
【請求項３】
前記フレキシブルケーブルは前記ヒンジ部内で円弧を形成するＳ字形状部乃至逆Ｓ字形状部を有する、請求項１または請求項２に記載の折り畳み型装置。
【請求項４】
前記ヒンジ部が開閉する際、前記フレキシブルケーブルの変形を誘導するための斜面を前記圧入部が有する、請求項３に記載の折り畳み型装置。
【請求項５】
前記圧入部において、前記斜面は滑らかな曲面を介して水平面に接続された後、滑らかな曲面を介して前記圧入部の側面に接続される、請求項４に記載の折り畳み型装置。
【請求項６】
前記圧入部において、前記斜面は前記圧入部の側面に直接に接続される、請求項４に記載の折り畳み型装置。
【請求項７】
前記フレキシブルケーブル及び前記ヒンジ部の内壁面の少なくとも一部に撥水剤を塗布した領域を有する、請求項１乃至請求項６のいずれかに記載の折り畳み型装置。
【請求項８】
第１のユニット、第２のユニット、ヒンジ部、フレキシブルケーブル、弾性材料からなる圧入部を備え、前記ヒンジ部は前記第１のユニットと前記第２のユニットとを回動可能に連結し、前記フレキシブルケーブルは前記第１のユニットと前記第２のユニットとを電気的に接続する折り畳み型装置における、フレキシブルケーブルの配置方法において、
前記ヒンジ部の内壁面の少なくとも一部が、その断面が柱体状の空間の側面の一部を形成する段階と、
前記第１のユニット及び前記第２のユニットの少なくとも一方が有する、前記柱体状の空間の内外を繋ぐ開口に設けられた空間に、前記フレキシブルケーブルと共に前記圧入部を圧入する段階と
を含む、フレキシブルケーブルの配置方法。
【請求項９】
前記圧入部は、圧入に応じて変形する凸状の変形部を、該圧入部の側面に沿って備える、請求項８に記載のフレキシブルケーブルの配置方法。
【請求項１０】
前記フレキシブルケーブルは前記ヒンジ部内で円弧を形成するＳ字形状部乃至逆Ｓ字形状部を有する、請求項８または請求項９に記載のフレキシブルケーブルの配置方法。
【発明の詳細な説明】
【技術分野】
【０００１】
本発明は、第１のユニットと第２のユニットをヒンジ部で折り畳み可能に接続した折り畳み型装置に関し、特に、第１のユニットと第２のユニットとを電気的に接続するフレキシブルケーブルに関する。
【背景技術】
【０００２】
折り畳み型装置の例としてはハンディターミナル、ラップトップコンピュータ、携帯電話端末がある。ハンディターミナルは、POS(Point Of Sales)システムの端末であり、例えば、ファミリーレストランにおいて客からのオーダーを店員が入力するために用いる携帯端末装置である。
【０００３】
ハンディターミナルには、操作面を有する第１のユニットと操作面を有する第２のユニットとがヒンジ部で回動可能に連結されたものが存在する。この種のハンディターミナルは、第１のユニットと第２のユニットとを見開きにした開状態と、第１のユニットと第２のユニットとを向い合せに閉じた閉状態とに開閉可能である。通常、第１のユニット、第２のユニットは、それぞれ、筐体内部に回路装置を備え、両者の間をケーブルにて電気的に接続している。
【０００４】
第１のユニットと第２のユニットとの間を接続するケーブルとして、フレキシブルケールを用いることがある。このとき、フレキシブルケーブルを巻き回してヒンジ部に収容するものがある。この種のハンディターミナルに関連した携帯端末装置の一例が特許文献１に記載されている。
【０００５】
図１８を参照すると、特許文献１に示された携帯端末装置８０が示されている。図示された携帯端末装置８０は、第１のユニット８１、第２のユニット８２、ヒンジ部８３、及びヒンジ部８３に内蔵されたフレキシブルケーブル８４を備えている。フレキシブルケーブル８４はヒンジ部８３には固定されていない。即ち、ヒンジ部８３の進入口８５、８６において、フレキシブルケーブル８４は変位・移動可能となっている。換言すれば、図示された携帯端末装置８０は、第１のユニット８１、第２のユニット８２の内部に対して防水性、防塵性を付与する構造とはなっていない。
【先行技術文献】
【特許文献】
【０００６】
【特許文献１】特開２００５−３４７３４５号公報
【発明の概要】
【発明が解決しようとする課題】
【０００７】
防水性或いは防塵性を有する構造とするために、進入口８５、８６を塞ぎ、フレキシブルケーブル８４を固定することが考えられる。しかし、フレキシブルケーブル８４を進入口８５、８６で固定すると、携帯端末装置８０の開閉を繰り返したときにフレキシブルケーブル８４が断線する恐れがある。
【０００８】
本発明はこのような状況に鑑みてなされたものであり、本発明が解決しようとする課題は、第１のユニットと第２のユニットのうち、少なくとも一方への進入口においてフレキシブルケーブルを固定した場合であっても、開閉の繰り返しによるフレキシブルケーブルの断線が生じにくい折り畳み型装置を提供することである。
【課題を解決するための手段】
【０００９】
上述の課題を解決するため、本発明は、その一態様として、第１のユニット、第２のユニット、ヒンジ部、フレキシブルケーブルを備え、前記ヒンジ部は前記第１のユニットと前記第２のユニットとを回動可能に連結し、前記フレキシブルケーブルは前記第１のユニットと前記第２のユニットとを電気的に接続し、前記ヒンジ部の内壁面の少なくとも一部は、その断面が柱体状の空間の側面の一部を形成し、弾性材料からなる圧入部を備え、前記第１のユニット及び前記第２のユニットの少なくとも一方は、前記柱体状の空間の内外を繋ぐ開口に、前記フレキシブルケーブルと共に前記圧入部を圧入するための空間を有する折り畳み型装置を提供する。
【００１０】
また、本発明は、他の一態様として、第１のユニット、第２のユニット、ヒンジ部、フレキシブルケーブル、弾性材料からなる圧入部を備え、前記ヒンジ部は前記第１のユニットと前記第２のユニットとを回動可能に連結し、前記フレキシブルケーブルは前記第１のユニットと前記第２のユニットとを電気的に接続する折り畳み型装置における、フレキシブルケーブルの配置方法において、前記ヒンジ部の内壁面の少なくとも一部が、その断面が柱体状の空間の側面の一部を形成する段階と、前記第１のユニット及び前記第２のユニットの少なくとも一方が有する、前記柱体状の空間の内外を繋ぐ開口に設けられた空間に、前記フレキシブルケーブルと共に前記圧入部を圧入する段階とを含む、フレキシブルケーブルの配置方法を提供する。
【発明の効果】
【００１１】
本発明によれば、第１のユニットと第２のユニットのうち、少なくとも一方への進入口においてフレキシブルケーブルを固定した場合であっても、開閉の繰り返しによるフレキシブルケーブルの断線が生じにくい折り畳み型装置を提供することができる。
【図面の簡単な説明】
【００１２】
【図１】本発明の一実施の形態であるハンディターミナル１００の斜視図であり、第１のユニット１と第２のユニット２とを開いた状態について説明するための斜視図である。
【図２】ハンディターミナル１００の平面図であり、第１のユニット１と第２のユニット２とを開き、カバー３３、３４を外した状態について説明するための平面図である。
【図３】図１の部分拡大図であり、カバー３３、３４を外した状態の巻き回し部３５について説明するための斜視図である。
【図４】図２の部分拡大図であり、カバー３３、３４を外した状態の巻き回し部３５について説明するための平面図である。
【図５】フレキシブルケーブル７について説明するための平面図である。
【図６】第１のユニット１、第２のユニット２、ヒンジ部３へのフレキシブルケーブル７の取り付けについて説明するための、図１のＡ−Ａ断面図であり、フレキシブルケーブル７をヒンジ部３に挿入する前の状態を説明するための図である。
【図７】第１のユニット１、第２のユニット２、ヒンジ部３へのフレキシブルケーブル７の取り付けについて説明するための、図１のＡ−Ａ断面図であり、フレキシブルケーブル７をヒンジ部３に挿入した後であって、圧入部５５を空間５３に圧入する前の状態を説明するための図である。
【図８】第１のユニット１、第２のユニット２、ヒンジ部３へのフレキシブルケーブル７の取り付けについて説明するための、図１のＡ−Ａ断面図であり、フレキシブルケーブル７をヒンジ部３に挿入後、圧入部５５を空間５３に圧入した後の状態を説明するための図である。
【図９】圧入部５５の斜視図である。
【図１０】圧入部５５の図９におけるＣ−Ｃ断面図である。
【図１１】第１のユニット１内における、タッチパネル付きディスプレイ及び回路基板の配置を説明するための、図１のＡ−Ａ断面図である。
【図１２】第１のユニット１と第２のユニット２とを閉じたときの巻き回し部３５におけるフレキシブルケーブル７の状態について説明するための図であり、図１のＡ−Ａ断面に相当する断面図である。逆Ｓ字形状部４２が形成する円弧は、カバー３３内で最も左側に寄った位置にある。
【図１３】第１のユニット１と第２のユニット２とを閉じたときの巻き回し部３５におけるフレキシブルケーブル７の状態について説明するための図であり、図１のＡ−Ａ断面に相当する断面図である。逆Ｓ字形状部４２が形成する円弧は、カバー３３内で最も右側に寄った位置にある。
【図１４】ハンディターミナル１００の変形１において、フレキシブルケーブル７に撥水剤を塗布する撥水剤塗布領域７１について説明するためのフレキシブルケーブル７の平面図である。
【図１５】変形１において、撥水剤塗布領域７１を設けることによる効果を説明するための図であり、図１のＢ−Ｂ線における断面図である。ハンディターミナル１００は最大に開いている。
【図１６】ハンディターミナル１００の変形２であり、空間５３及び圧入部５５の代わりに、空間７３及び圧入部７４を備えるものを説明するための図であり、図１のＡ−Ａ線における断面図である。ハンディターミナル１００は最大に開いている。
【図１７】ハンディターミナル１００の変形３で用いるフレキシブルケーブル７の平面図である。
【図１８】特許文献１の携帯端末装置８０について説明するための断面図である。
【発明を実施するための形態】
【００１３】
本発明の一実施の形態であるハンディターミナル１００について図１、図２を参照して説明する。ハンディターミナル１００は、レストラン等で使用されるオーダエントリシステム用の携帯端末装置であって、例えば、店員が顧客の注文を入力する際に用いられる。しかし、本発明はオーダエントリシステム用携帯端末装置に限定されず、折り畳み型の構造を有する他の電子機器、例えば、ラップトップ型コンピュータ等にも適用可能である。
【００１４】
図示されたハンディターミナル１００は、第１のユニット１、第２のユニット２からなる２つのユニットがヒンジ部３で回動可能に連結されている。ヒンジ部３での回動により、第１のユニット１と第２のユニット２は、それぞれの一面を互いに向かい合わせた状態、即ち、閉じた状態から、所定の最大角度まで開くことができる。最大角度は例えば１７０度、１８０度であるが、これらよりも小さい角度であっても或いは大きい角度であってもよい。
【００１５】
第１のユニット１は、装置全体の制御を行う制御部が搭載されている回路基板（不図示）、タッチパネル付きディスプレイ４、キー入力部５等を備える。
【００１６】
第２のユニット２はメンブレンスイッチからなるキー入力部６等を備える。尚、キー入力部６には、メンブレンスイッチではなく、他の接点、例えばタッチパネルを用いてもよい。
【００１７】
ヒンジ部３は、ヒンジ３１、３２を備え、ヒンジ３１とヒンジ３２の間にカバー３３、３４を備える。カバー３３、３４は、中空円柱の側面を軸方向に沿って一部切り欠いた形状を有する。
【００１８】
カバー３３、３４は着脱可能である。図３、図４に示すように、カバー３３、３４を外すと、ヒンジ部３の軸に沿った略柱状の空間である巻き回し部３５が設けられている。第１のユニット１と第２のユニット２との間は、フレキシブルケーブル７で電気的に接続されている。第２のユニット２から延びたフレキシブルケーブル７は、巻き回し部３５にて巻き回された後、第１のユニット１に接続される。
【００１９】
図５を参照してフレキシブルケーブル７について説明する。フレキシブルケーブル７の左端には、第１のユニット１の回路基板のコネクタと着脱可能な端子部４１が設けられている。フレキシブルケーブル７は、中間部分にＳ字を反転した逆Ｓ字状の形状（裏面から見るとＳ字状の形状）である逆Ｓ字形状部４２を有する。逆Ｓ字形状部４２は、巻き回し部３５にて巻き回される部分に相当する。端子部４１と逆Ｓ字形状部４２の間には位置決め部４３が設けられている。位置決め部４３はケーブルの長さ方向に対して直交する方向に開口するＵ字形状を有する。
【００２０】
フレキシブルケーブル７の右端は、メンブレンスイッチ、タッチパネル等からなるキー入力部６と電気的に接続されている。キー入力部６には防水加工が施されている。具体的には、メンブレンスイッチ、タッチパネル等の入力装置の全体が樹脂材料で封止されている。
【００２１】
第１のユニット１、第２のユニット２、ヒンジ部３へのフレキシブルケーブル７の取り付けについて説明する。
【００２２】
図１、図２に示すように、フレキシブルケーブル７のキー入力部６は、第２のユニット２の筐体に対して予め固定されている。この固定は、例えば、樹脂材料で封止したキー入力部６の外形の一部乃至全部を、第２のユニット２の筐体に設けた不図示の凹部に収容することにより行う。第２のユニット２に対してキー入力部６を固定することにより、フレキシブルケーブル７が第２のユニット２に進入する長さを規定する。
【００２３】
このように、フレキシブルケーブル７は第２のユニット２に対して予め固定された後、第１のユニット１に対して固定される。第１のユニット１と第２のユニット２とはヒンジ部３で最大に開いた状態にあるものとする。図６に示すように、カバー３３、筐体５１、ヒンジ底部５２によって囲まれた空間３５Ａ、３５Ｂ、５３が形成される。空間３５Ａは、カバー３３の内壁面に沿って形成される円柱状の空間である。カバー３３の内壁面の断面は、半径Ｒ０の半円を形成する。空間３５Ｂは、空間３５Ａと、筐体５１、ヒンジ底部５２によって囲まれた空間である。空間３５Ａと空間３５Ｂによって巻き回し部３５が形成される。筐体５１は第１のユニット１の筐体である。ヒンジ底部５２は、筐体５１の一部であり、ヒンジ部３の一部である。空間５３は、空間３５Ｂの下方の空間であって、筐体５１とヒンジ底部５２との間の空間である。後述するように、空間５３は圧入部５５を圧入するための空間である。
【００２４】
このような巻き回し部３５（空間３５Ａ、３５Ｂ）、空間５３の中に、フレキシブルケーブル７の端子部４１を挿入する。図７に示すように、空間３５Ａにおいて、カバー３３の内壁面に沿って円弧を描くように逆Ｓ字形状部４２を曲げる。逆Ｓ字形状部４２が描く円弧の半径Ｒ１は、カバー３３の内壁面の断面がなす円弧の半径Ｒ０とほぼ等しいか、わずかに短い。
【００２５】
図７に示すように、ハンディターミナル１００を開いたときに、カバー３３の内壁面の断面がなす円弧と平行であるのは、フレキシブルケーブル７が形成する略円形の円弧のうち、図中の上半分にあたる略半円の部分である。即ち、図７では、カバー３３の内壁面の断面がなす、半径Ｒ０のほぼ半円に沿って、フレキシブルケーブル７の逆Ｓ字形状部４２が、中心角１８０度の扇形を形成している。しかし、カバー３３の内壁面の断面がなす円弧と、その円弧に沿って形成される、逆Ｓ字形状部４２が描く円弧の中心角は、必ずしも１８０度ではなくてもよい。
【００２６】
空間３５Ｂ、５３を通過した端子部４１は、第１のユニット１の下部に沿って配置される。その際、位置決め部４３のＵ字形状を突起５４に嵌合させる。この嵌合により、フレキシブルケーブル７が第１のユニット１側に進入する長さを規定する。
【００２７】
この状態から図８に示すように空間５３に圧入部５５を圧入する。圧入部５５は図９、図１０に示すような形状を有する弾性材料からなる部品であり、例えばゴム製である。
【００２８】
圧入部５５は上部に傾斜部５５Ａを有する。傾斜部５５Ａの傾斜は、その延長線５５Ｃが、空間３５Ａのなす円柱の断面の接線と一致するように設けられる。図１１に示すように、ハンディターミナル１００を開いたとき、傾斜部５５Ａの斜面は、フレキシブルケーブル７がカバー３３の内壁面に沿って円弧を形成するように、フレキシブルケーブル７の変形を誘導することができる。傾斜部５５Ａの下端は、曲面５５Ｄによって滑らかに水平面に接続されている。
【００２９】
図９、図１０に示すように圧入部５５の側面に沿って変形部５５Ｂが設けられている。圧入部５５を圧入すると、傾斜部５５Ａは空間３５Ｂに面して配置される。変形部５５Ｂは、空間３５Ｂに面した第１のユニット１の内壁面、及び、ヒンジ底部５２の内壁面に押し付けられて変形する。図示されていないが、図８の紙面表側及び紙面裏側でも、変形部５５Ｂは対向する内壁面に押し付けられている。これにより空間３５Ｂの側から空間５３側への浸水を防いでいる。
【００３０】
図８に示すように、フレキシブルケーブル７は、防水性を保つため第１のユニット１への進入口の最奥部５６で固定されているが、キー入力部６は樹脂材料で封止されて防水性が保たれているので、第２のユニット２への進入口では固定されていない。
【００３１】
空間５３に圧入部５５を圧入した後、図１１に示すように、圧入部５５の下方に両面テープ６１、片面テープ６２を貼付することにより、圧入部５５を下方から補助的に支持することとしてもよい。また、片面テープ６２の更に下方に両面テープ６３を貼付し、クッション６４を貼付することとしてもよい。
【００３２】
第１のユニット１には、図１１においてＸで示す領域に、タッチパネル付きディスプレイが配置され、Ｙで示す領域には回路基板が配置されている。Ｘの領域にタッチパネル付きディスプレイが配置されているため、巻き回し部３５から図中の水平方向にフレキシブルケーブルを引き出して、回路基板に接続することはできない。このため、フレキシブルケーブル７は、Ｘの領域を迂回してＹの領域に至る経路で配置されている。
【００３３】
圧入部５５を空間５３に圧入したとき、圧入部５５の傾斜部５５Ａ、曲面５５Ｄは、第１のユニット１と対向して、断面が略Ｖ字型の谷を形成する。図８に示すように、略Ｖ字型の谷をなす斜面のうち、第１のユニット１側の谷斜面５７は曲面である。傾斜部５５Ａ、曲面５５Ｄがなす、圧入部５５の谷斜面と、第１のユニット１側の谷斜面５７は、上部が広く開口し、下部が最奥部５６に向かって狭くなっている。上述のように、圧入部５５の傾斜部５５Ａ、曲面５５Ｄは例えばゴム製である。一方、第１のユニット１の谷斜面５７は樹脂製部品によって形成される。空間５３のうち、最奥部５６より下方は、圧入部５５によって塞がれ、特に、圧入部５５の側面に設けた変形部５５Ｂによって塞がれている。このため、最奥部５６より下方への水等の浸入を防ぐことができる。
【００３４】
このように、フレキシブルケーブル７の長さは、巻き回し部３５の内部において、逆Ｓ字形状部４２の円弧が、カバー３３の内壁面によって形成される円柱状の空間３５Ａとほぼ内接するように定められる。言い換えると、カバー３３の内壁面によって形成される円柱状の空間３５Ａの断面の半径をＲ０とし、逆Ｓ字形状部４２が形成する円弧の半径をＲ１とするとき、フレキシブルケーブル７の長さは、Ｒ０とＲ１がほぼ等しくなるか、或いは、Ｒ１がＲ０よりも若干短くなるように定められる。こうすることにより、逆Ｓ字形状部４２は、巻き回し部３５の中で形成することができる最大の円弧を形成することになる。
【００３５】
次に、ハンディターミナル１００を閉じたときの巻き回し部３５におけるフレキシブルケーブル７の状態について説明する。ハンディターミナル１００を閉じたとき、即ち、第１のユニット１と第２のユニット２とを閉じたとき、逆Ｓ字形状部４２が形成する円弧は最小になる。このとき、逆Ｓ字形状部４２が形成する円弧の位置は、ハンディターミナル１００の個体間で一定ではなく、ハンディターミナル１００の個体によって異なる恐れがある。
【００３６】
図１２は、カバー３３内の最も左側の位置で逆Ｓ字形状部４２が円弧を形成した状態を示す。図１２では逆Ｓ字形状部４２は半径Ｒ２の円弧を描いている。ここでＲ２＜Ｒ１、Ｒ０である。一方、図１３は、カバー３３内の最も右側の位置で逆Ｓ字形状部４２が円弧を形成した状態を示す。図１３では逆Ｓ字形状部４２は半径Ｒ３の円弧を描いている。ここでＲ３＜Ｒ１、Ｒ０である。
【００３７】
図１１と図１２とを比較すると分かるように、傾斜部５５Ａと谷斜面５７とがなす進入口において、フレキシブルケーブル７は傾斜部５５Ａに沿って延びている。一方、図１１と図１３とを比較すると、フレキシブルケーブル７は、最奥部５６を支点として谷斜面５７の側に角度θだけ変位している。このことから分かるように、ハンディターミナル１００の個体によっては、第1のユニット１と第２のユニット２とを開閉したとき、フレキシブルケーブル７に対して、最奥部５６を支点とした繰り返し応力が作用する恐れがある。
【００３８】
しかしながら、図１１〜図１３を見て分かるように、最奥部５６におけるフレキシブルケーブル７の変位量はわずかである。図１３のケースは、最も右側で円弧を形成した状態なので、閉じたときの変位量が最大のケースである。大半のケースでは、図１３のケースよりも最奥部５６におけるフレキシブルケーブル７の変位量は小さくなる。
【００３９】
更に、ハンディターミナル１００を閉じるときにフレキシブルケーブル７が変位する方向に着目する。図１３のケースでは、フレキシブルケーブル７が、最奥部５６を支点として時計回りに変位する。図１２のケースでは、フレキシブルケーブル７はハンディターミナル１００を開閉してもほとんど変位しない。いずれにしても、フレキシブルケーブル７が、最奥部５６を支点として傾斜部５５Ａから反時計回りに変位することはない。最奥部５６を支点とするフレキシブルケーブル７の変位の角度範囲は、最大であっても、傾斜部５５Ａから、谷斜面５７の手前程度の範囲に収まる。
【００４０】
このように、ハンディターミナル１００では、最奥部５６を支点とするフレキシブルケーブル７の変位量が小さいだけではなく、変位する角度範囲が限定されているので、最奥部５６におけるフレキシブルケーブル７の断線、即ち、第１のユニット１に対して固定した位置におけるフレキシブルケーブル７の断線が生じにくい。
【００４１】
（変形１）
上述のハンディターミナル１００では、開閉に伴うフレキシブルケーブル７の変位、即ち、最奥部５６を支点としたフレキシブルケーブル７の変位を原因とする断線に着目した。しかし、フレキシブルケーブル７の断線は固定箇所だけで生じる訳ではない。
【００４２】
他の断線として、巻き回し部３５内に粘着性の液体（例えば、醤油やソース）が浸入することに起因するものがある。例えば図１１を見ても明らかなように、ハンディターミナル１００を開いたとき、フレキシブルケーブル７が形成する円弧は広がり、そのかなりの部分がカバー３３の内壁面に接するか或いは間際まで接近する。このため、巻き回し部３５に浸入した粘着性液体が、フレキシブルケーブル７とカバー３３、３４との間で固着する場合がある。
【００４３】
このような固着が発生した状態で、ハンディターミナル１００を閉じようとしたとする。特に図１１〜図１３に示したように、ハンディターミナル１００を閉じると、逆Ｓ字形状部４２が形成する円弧の半径は小さくなる。固着した部分があると、その部分は円弧が小さくなったときに本来あるべき位置に移動することができない。このため、固着した箇所でフレキシブルケーブル７が折れ曲がる。固着した状態のまま開閉を繰り返せばいずれは断線に至る恐れがある。このような固着の発生を防ぐため、変形１では、フレキシブルケーブル７に撥水剤を塗布する。撥水剤の例としてはフッ素コート剤があるが、撥水剤の種類は特に限定されない。また、撥水性だけではなく撥油性を併せ持つものであってもよい。
【００４４】
図１４に図示したフレキシブルケーブル７は、図５に図示したフレキシブルケーブル７を紙面裏側から見た図に相当する。このため、逆Ｓ字形状部４２は、図１４ではＳ字形状を描いている。また、端子部４１の端子は紙面裏側になるため見えていない。また、図５と異なり、撥水剤を塗布した領域７１を有する。撥水剤塗布領域７１は、フレキシブルケーブル７とキー入力部６の接続部から、逆Ｓ字形状部４２の裏側を含み、位置決め部４３の手前までの領域である。
【００４５】
ハンディターミナル１００にフレキシブルケーブル７を配置して、逆Ｓ字形状部４２が巻き回し部３５内で円弧を描いたとき、撥水剤塗布領域７１は、円弧の外側、即ち、カバー３３、３４に面する側に位置する。尚、撥水剤塗布領域７１は、図１４の紙面表側に加えて紙面裏側にも塗布してもよい。
【００４６】
図１５の点線円７２で囲んだポイントに、醤油やソース等の粘着性の液体が浸入したとする。変形１では、撥水剤塗布領域７１が設けられている為、粘着性液体はフレキシブルケーブル７に固着しない。このため、粘着性液体がフレキシブルケーブル７をカバー３３、３４の内壁面に固着することに起因する、フレキシブルケーブル７の断線を防ぐことができる。
【００４７】
（変形２）
図９、図１０に示すように、ハンディターミナル１００は圧入部５５を備える。圧入部５５は、ハンディターミナル１００を最大に開いたとき、傾斜部５５Ａの断面に沿って延びる延長線５５Ｃが、逆Ｓ字形状部４２によって形成される円弧の接線と一致するような形状を有する。
【００４８】
図１０を参照すると、圧入部５５では、傾斜部５５Ａはなめらかな曲面を介して、圧入部５５の上部にある水平面の左端に接続される。その水平面の右端は、なめらかな曲面を介して、圧入部５５の前方側面の変形部５５Ｂに接続されている。ここで、圧入部５５の前方を図９Ｃ−Ｃ線の右手方向とし、後方を同図Ｃ−Ｃ線の左手方向とする。
【００４９】
ハンディターミナル１００の変形２では、圧入部５５の代わりに、図１６に示すような圧入部７４を用いる。圧入部７４では、傾斜部７５は、逆Ｓ字形状部４２によって形成される円弧の接線に沿ったまま、前方側面の変形部７６に接続される。第１のユニット１側で空間７３を形成する内壁面は、このような形状の圧入部７４に適合させた形状となっている。
【００５０】
空間５３と圧入部５５の組み合わせ、及び、空間７３と圧入部７４の組み合わせのどちらであっても、フレキシブルケーブル７は、逆Ｓ字形状部４２によって形成される円弧の接線に沿って、第１のユニット１への進入口の最奥部に至る。しかし、空間７３と圧入部７４の組み合わせによれば、フレキシブルケーブル７は、最奥部の通過後も、傾斜部７５によって円弧の接線に沿って連続的に配置される。このため、空間５３と圧入部５５の組み合わせと比較して、空間７３と圧入部７４の組み合わせでは、フレキシブルケーブル７の断線が更に生じにくい。
【００５１】
（変形３）
上述のハンディターミナル１００では、フレキシブルケーブル７は、第１のユニット１側にコネクタと着脱可能な端子４１を備える一方、第２のユニット２側の端部をキー入力部６と一体化していた。
【００５２】
このように、フレキシブルケーブル７の一端を接続先の装置と着脱可能に接続し、他端を接続先の装置に固定的に接続する代わりに、両端に着脱可能な端子を設け、一端側と他端側のそれぞれに位置決め部を設けることとしてもよい。
【００５３】
両端に端子及び位置決め部を備えるフレキシブルケーブル７’を図１７に示す。フレキシブルケーブル７’は、逆Ｓ字形状部４２から見て図中左側に、着脱可能な端子４１、位置決め部４３を備える。フレキシブルケーブル７’は、更に、逆Ｓ字形状部４２から見て図中右側に、着脱可能な端子８１、位置決め部８３を備える。
【００５４】
（変形４）
変形１では、フレキシブルケーブル７の撥水剤塗布領域７１に撥水剤を塗布したが、フレキシブルケーブル７側に塗布する代わりに、或いは、フレキシブルケーブル７に塗布すると共に、カバー３３、３４の内壁面に撥水剤を塗布することとしてもよい。
【００５５】
以上、本発明を実施形態及びその変形に即して説明したが、本発明はこれらに限定されるものではない。例えば、本発明の実施形態及びその変形としてハンディターミナルを挙げて説明したが、ヒンジ機構を備える折り畳み型装置に広く本発明を適用可能であることは当業者には明らかであろう。本発明を適用可能な折り畳み型装置としては、ハンディターミナルの他にも、例えば、液晶画面とキーボードが折り畳み可能にヒンジで連結されたラップトップコンピュータや、折り畳み型携帯電話端末がある。
【００５６】
上記の実施形態の一部又は全部は以下の付記のようにも記載されうるが、以下には限られない。
【００５７】
（付記１）
第１のユニット、第２のユニット、ヒンジ部、フレキシブルケーブルを備え、
前記ヒンジ部は前記第１のユニットと前記第２のユニットとを回動可能に連結し、前記フレキシブルケーブルは前記第１のユニットと前記第２のユニットとを電気的に接続し、
前記ヒンジ部の内壁面の少なくとも一部は、その断面が半径Ｒ０の円弧をなす柱体状の空間の側面の一部を形成し、
前記第１のユニットと前記第２のユニットとを前記ヒンジ部にて開いた状態で連結したとき、前記フレキシブルケーブルは、前記半径Ｒ０と略等しい半径Ｒ１の円弧を形成する
折り畳み型装置。
【００５８】
（付記２）
前記フレキシブルケーブルは前記ヒンジ部内で円弧を形成するＳ字形状部乃至逆Ｓ字形状部を有する、付記１に記載の折り畳み型装置。
【００５９】
（付記３）
弾性材料からなる圧入部を備え、前記第１のユニット及び前記第２のユニットの少なくとも一方は、前記フレキシブルケーブルと共に前記圧入部を圧入するための空間を有する、付記１または付記２に記載の折り畳み型装置。
【００６０】
（付記４）
前記ヒンジ部が開閉する際、前記フレキシブルケーブルの変形を誘導するための斜面を前記圧入部が有する、付記３に記載の折り畳み型装置。
【００６１】
（付記５）
前記圧入部において、前記斜面は滑らかな曲面を介して水平面に接続された後、滑らかな曲面を介して前記圧入部の側面に接続される、付記４に記載の折り畳み型装置。
【００６２】
（付記６）
前記圧入部において、前記斜面は前記圧入部の側面に直接に接続される、付記４に記載の折り畳み型装置。
【００６３】
（付記７）
前記フレキシブルケーブル及び前記ヒンジ部の内壁面の少なくとも一部に撥水剤を塗布した領域を有する、付記１乃至付記６のいずれかに記載の折り畳み型装置。
【００６４】
（付記８）
第１のユニット、第２のユニット、ヒンジ部、フレキシブルケーブルを備え、前記ヒンジ部は前記第１のユニットと前記第２のユニットとを回動可能に連結し、前記フレキシブルケーブルは前記第１のユニットと前記第２のユニットとを電気的に接続する折り畳み型装置における、フレキシブルケーブルの配置方法において、
前記ヒンジ部の内壁面の少なくとも一部が、その断面が半径Ｒ０の円弧をなす柱体状の空間の側面の一部を形成する段階と、
前記第１のユニットと前記第２のユニットとを前記ヒンジ部にて開いた状態で連結したとき、前記フレキシブルケーブルが前記半径Ｒ０と略等しい半径Ｒ１の円弧を形成する段階と
を含む、フレキシブルケーブルの配置方法。
【００６５】
（付記９）
前記フレキシブルケーブルは前記ヒンジ部内で円弧を形成するＳ字形状部乃至逆Ｓ字形状部を有する、付記８に記載のフレキシブルケーブルの配置方法。
【００６６】
（付記１０）
前記折り畳み型装置は弾性材料からなる圧入部を備え、
前記第１のユニット及び前記第２のユニットの少なくとも一方が有する空間に、前記フレキシブルケーブルと共に前記圧入部を圧入する段階を更に含む、付記８または付記９に記載のフレキシブルケーブルの配置方法。
【００６７】
（付記１１）
前記ヒンジ部が開閉する際、前記圧入部に設けた斜面が、前記フレキシブルケーブルの変形を誘導する段階を含む、付記１０に記載のフレキシブルケーブルの配置方法。
【００６８】
（付記１２）
前記圧入部において、前記斜面は滑らかな曲面を介して水平面に接続された後、滑らかな曲面を介して前記圧入部の側面に接続される、付記１１に記載のフレキシブルケーブルの配置方法。
【００６９】
（付記１３）
前記圧入部において、前記斜面は前記圧入部の側面に直接に接続される、付記１１に記載のフレキシブルケーブルの配置方法。
【００７０】
（付記１４）
前記フレキシブルケーブル及び前記ヒンジ部の内壁面の少なくとも一部に撥水剤を塗布する段階を含む、付記８乃至付記１３のいずれかに記載のフレキシブルケーブルの配置方法。
【００７１】
（付記１５）
第１のユニット、第２のユニット、ヒンジ部、フレキシブルケーブルを備え、
前記ヒンジ部は前記第１のユニットと前記第２のユニットとを回動可能に連結し、前記フレキシブルケーブルは前記第１のユニットと前記第２のユニットとを電気的に接続し、
弾性材料からなる圧入部を備え、前記第１のユニット及び前記第２のユニットの少なくとも一方は、前記フレキシブルケーブルと共に前記圧入部を圧入するための空間を有する、折り畳み型装置。
【００７２】
（付記１６）
第１のユニット、第２のユニット、ヒンジ部、フレキシブルケーブルを備え、前記ヒンジ部は前記第１のユニットと前記第２のユニットとを回動可能に連結し、前記フレキシブルケーブルは前記第１のユニットと前記第２のユニットとを電気的に接続する折り畳み型装置における、フレキシブルケーブルの配置方法において、
前記折り畳み型装置は弾性材料からなる圧入部を備え、
前記第１のユニットと前記第２のユニットとを前記ヒンジ部にて開いた状態で連結したとき、前記フレキシブルケーブルが円弧を形成する段階と、
前記第１のユニット及び前記第２のユニットの少なくとも一方が有する空間に、前記フレキシブルケーブルと共に前記圧入部を圧入する段階を含む、
フレキシブルケーブルの配置方法。
【符号の説明】
【００７３】
１  第１のユニット
２  第２のユニット
３  ヒンジ部
４  タッチパネル付きディスプレイ
５、６  キー入力部
７、７’  フレキシブルケーブル
３１、３２  ヒンジ
３３、３４  カバー
３５  巻き回し部
３５Ａ、３５Ｂ、５３、７３  空間
４１、８１  端子部
４２  逆Ｓ字形状部
４３、８３  位置決め部
５１  筐体
５２  ヒンジ底部
５４  突起
５５、７４  圧入部
５５Ａ、７５  傾斜部
５５Ｂ、７６  変形部
５５Ｃ  延長線
５５Ｄ  曲面
５６  最奥部
５７  谷斜面
６１、６３  両面テープ
６２  片面テープ
６４  クッション
７１  撥水剤塗布部
７２  点線円
１００  ハンディターミナル
【図１】
2019087266.tif 000003
【図２】
2019087266.tif 000004
【図３】
2019087266.tif 000005
【図４】
2019087266.tif 000006
【図５】
2019087266.tif 000007
【図６】
2019087266.tif 000008
【図７】
2019087266.tif 000009
【図８】
2019087266.tif 000010
【図９】
2019087266.tif 000011
【図１０】
2019087266.tif 000012
【図１１】
2019087266.tif 000013
【図１２】
2019087266.tif 000014
【図１３】
2019087266.tif 000015
【図１４】
2019087266.tif 000016
【図１５】
2019087266.tif 000017
【図１６】
2019087266.tif 000018
【図１７】
2019087266.tif 000019
【図１８】
2019087266.tif 000020
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
第１のユニット、第２のユニット、ヒンジ部、フレキシブルケーブルを備え、
前記ヒンジ部は前記第１のユニットと前記第２のユニットとを回動可能に連結し、前記フレキシブルケーブルは前記第１のユニットと前記第２のユニットとを電気的に接続し、
前記ヒンジ部の内壁面の少なくとも一部は、その断面が柱体状の空間の側面の一部を形成し、
弾性材料からなる圧入部を備え、前記第１のユニット及び前記第２のユニットの少なくとも一方は、前記柱体状の空間の内外を繋ぐ開口に、前記フレキシブルケーブルと共に前記圧入部を圧入するための空間を有し、
前記フレキシブルケーブルは前記ヒンジ部内で円弧を形成するＳ字形状部乃至逆Ｓ字形状部を有し、
前記ヒンジ部が開閉する際、前記フレキシブルケーブルの変形を誘導するための斜面を前記圧入部が有する、
折り畳み型装置。
【請求項２】
前記圧入部は、圧入に応じて変形する凸状の変形部を、該圧入部の側面に沿って備える、請求項１に記載の折り畳み型装置。
【請求項３】
前記圧入部において、前記斜面は滑らかな曲面を介して水平面に接続された後、滑らかな曲面を介して前記圧入部の側面に接続される、請求項１または請求項２に記載の折り畳み型装置。
【請求項４】
前記圧入部において、前記斜面は前記圧入部の側面に直接に接続される、請求項１または請求項２に記載の折り畳み型装置。
【請求項５】
前記フレキシブルケーブル及び前記ヒンジ部の内壁面の少なくとも一部に撥水剤を塗布した領域を有する、請求項１乃至請求項４のいずれかに記載の折り畳み型装置。
【請求項６】
第１のユニット、第２のユニット、ヒンジ部、フレキシブルケーブル、弾性材料からなる圧入部を備え、前記ヒンジ部は前記第１のユニットと前記第２のユニットとを回動可能に連結し、前記フレキシブルケーブルは前記第１のユニットと前記第２のユニットとを電気的に接続する折り畳み型装置における、フレキシブルケーブルの配置方法において、
前記ヒンジ部の内壁面の少なくとも一部が、その断面が柱体状の空間の側面の一部を形成する段階と、
前記第１のユニット及び前記第２のユニットの少なくとも一方が有する、前記柱体状の空間の内外を繋ぐ開口に設けられた空間に、前記フレキシブルケーブルと共に前記圧入部を圧入する段階と
を含み、
前記フレキシブルケーブルは前記ヒンジ部内で円弧を形成するＳ字形状部乃至逆Ｓ字形状部を有し、
前記ヒンジ部が開閉する際、前記フレキシブルケーブルの変形を誘導するための斜面を前記圧入部が有する、
フレキシブルケーブルの配置方法。
【請求項７】
前記圧入部は、圧入に応じて変形する凸状の変形部を、該圧入部の側面に沿って備える、請求項６に記載のフレキシブルケーブルの配置方法。
【請求項８】
前記圧入部において、前記斜面は滑らかな曲面を介して水平面に接続された後、滑らかな曲面を介して前記圧入部の側面に接続される、請求項６または７に記載のフレキシブルケーブルの配置方法。
【請求項９】
前記圧入部において、前記斜面は前記圧入部の側面に直接に接続される、請求項６または７に記載のフレキシブルケーブルの配置方法。
【請求項１０】
前記フレキシブルケーブル及び前記ヒンジ部の内壁面の少なくとも一部に撥水剤を塗布した領域を有する、請求項６乃至請求項９のいずれかに記載のフレキシブルケーブルの配置方法。